(57)【要約】【課題】電球形光源を取り付けて使用され、下方に向けて光を出す照明器具において、取り付けた電球形光源が所望しないタイミングで取付部から外れ落下することがある。また落下防止の網などを照明器具の下部に取り付けると電球形光源を付け外しするときに手間がかかる。【解決手段】前記照明器具の器具本体の開口部付近に電球形光源の落下を防止するランプガードを有し、このランプガードの一端には、前記器具本体の開口部付近において前記ランプガードを回転可能に支持するヒンジ機構を有し、前記ランプガードの他端には前記器具本体の開口部付近において前記ランプガードを前記器具本体に着脱可能に固定する機構を有する照明器具とする。【選択図】図３
2019057396.tif 000002
【特許請求の範囲】
【請求項１】
電球形光源を取り付けて使用される照明器具において、前記照明器具の器具本体の開口部付近に電球形光源の落下を防止するランプガードを有し、このランプガードの一端には、前記器具本体の開口部付近において前記ランプガードを回転可能に支持する機構を有し、前記ランプガードの他端には前記器具本体の開口部付近において前記ランプガードを前記器具本体に着脱可能に固定する機構を有する照明器具。
【請求項２】
前記ランプガードの一端には連結部を介してこの連結部と略直角に延びる回転軸部を有し、前記器具本体には前記回転軸部を納めて前記ランプガードを前記器具本体に対して回転可能に支持する本体軸受け部を有し、前記回転軸部と前記ランプガードの中心を挟んで反対側となる一端には、凸部が設けられたガード爪を有し、前記器具本体には前記凸部を納めて前記ランプガードを着脱可能に支持する取付凹部または本体取付穴を有する請求項１に記載された照明器具。
【請求項３】
前記ガード爪は金属製の線状部材であり、前記ガード爪は前記ランプガードの中心部をなすガード部に固定されて外周方向に延出する基部とこの基部の先端側を折り曲げて形成された先端部からなり、前記基部と前記先端部の境界が前記凸部を形成している請求項１から２のいずれかに記載された照明器具。
【請求項４】
前記ランプガードのガード部は線対称の形状であり、前記連結部は前記ガード部の対称軸である中心線上にあって前記ガード部から外周方向に延出する１本の棒状部分であり、前記連結部と前記ガード部を挟んで反対側となる一端には、前記ガード部の中心線と平行に外周方向に延出し最外部に複数の凸部を有する前記ガード爪が設けられている請求項１から３のいずれかに記載された照明器具。
【請求項５】
前記器具本体の一方に固定された前記本体軸受け部には複数の軸受凹部を有し、前記器具本体の反対側には前記複数の軸受凹部にそれぞれランプガードが取り付けられた場合にそれぞれのランプガードが略水平に支持される位置に複数の取付凹部または本体取付穴を有する請求項１から４のいずれかに記載された照明器具。
【請求項６】
電球形光源を取り付けて使用される照明器具において、前記照明器具の器具本体の開口部付近に電球形光源の落下を防止するランプガードを有し、このランプガードの中央部はランプ最大径より小さな開口部を有するガード部であり、このガード部の一端には連結部を介して回転軸部を有し、この回転軸部は前記器具本体の開口部付近に設けられた本体軸受部に納められてヒンジ機構を形成することで回転可能に支持され、、前記ガード部の他端には凸部を有するガード爪を有し、このガード爪の凸部が器具本体の開口部付近に設けられた本体取付穴に入り込むことで前記ランプガードが器具本体の開口部付近に固定される照明器具。
【発明の詳細な説明】
【技術分野】
【０００１】
本発明は、照明器具に関し、特に白熱ランプやＨＩＤランプなどの電球形光源を取り付けて使用される照明器具から光源が落下することを防止できる構造を有する照明器具に関するものである。
【背景技術】
【０００２】
白熱ランプやＨＩＤランプ、最近ではＬＥＤ電球などの電球形光源を取り付けて使用される照明器具は古くから知られている。以下、上記の電球形光源を総称して「ランプ」または「電球」と記載する。一般的に「ランプ」という用語は照明器具全体を示す場合もあるが、本発明の説明においては、「ランプ」とは、照明器具に取り付けられて光を発する電球形光源のことを意味する。
【０００３】
上記のような電球形光源を取り付けて使用される照明器具のうち、電球から発する光を重力方向の下方（例えば床方向）に向けて照射させる照明器具に関しては、照明器具の下方が開放されていることが多く、ねじ込み式のソケットなどに取り付けられた電球が、取付の不備や周囲の振動など悪条件が重なると、所望しないタイミングで電球が照明器具のソケットから稀に脱落し、照明器具外に落下することがある。照明器具の下には被照射物が設置されるか人間がいる場合があり、火災や怪我などの事故を発生させることもあり得る。この種の事故を防止するため、例えば特許文献１の第１図から第６図に開示されているような照明器具が公知である。
【０００４】
特許文献１に開示されている照明器具について、特許文献１の第１図に図示されている符号を借用して説明する。器具本体は電球用ソケット２と電球ガード３からなる。この電球ガード下方の開口部に蓋体７を係合離脱自在に取り付けていることで、電球４が電球用ソケット２から脱落したとしても、（実施例では格子状の）複数個の通光部７ａを形成した蓋体７により照明器具１の外へ落下することが防止される。
【０００５】
落下防止構造を実現する別の方法として、特許文献２に開示されているように、電球のトップ部（口金と反対側の部分）に排気管のチップオフ部を有する電球を取り付けた照明器具も公知である。この照明器具においては、金属線で作った中間にコイル部を有するハンガー・ホルダーを照明器具に取り付け、このハンガー・ホルダーの先端に形成されたリング部で電球のチップオフ部を支持することにより、電球が照明器具のソケットから外れることを防止する。このハンガー・ホルダーはばね性を有するため、通常はリング部が電球に上向きの力を加えてソケットに押し付けており、電球交換時には片手でハンガー・ホルダーのリング部を押し下げながらもう片方の手で電球を付け外しすることができる。
【先行技術文献】
【特許文献】
【０００６】
【特許文献１】実公平０７−０１８０９１号公報
【特許文献２】米国特許第１１５１２１９号公報
【発明の概要】
【発明が解決しようとする課題】
【０００７】
特許文献１に開示されているランプ落下防止構造では、電球ガードと蓋体とが別の部材である。電球を交換する際には、以下の作業が必要となる。
(1) 照明器具から蓋体を外す。
(2) 蓋体を別置の台に置くか、作業者が保持する。
(3) 古い電球を照明器具から外し、作業者が保持する。
(4) 作業者が保持していた新しい電球を照明器具に取り付ける。
(5) 作業者が保持していた蓋体を照明器具に取り付ける。
【０００８】
上記のとおり、作業者は新旧の電球と蓋体とを同時に保持していなければならない。電球交換が高所で行われる場合が多いことを考慮すると、作業者が保持する部材は作業工具も含め、なるべく少なくしたい。
【０００９】
特許文献２のようなハンガー・ホルダーは安価に実現でき、電球の付け外しも容易に行えるが、トップ部にチップオフ部を有する電球を使用する照明器具でなければ適用できない。また、ハンガー・ホルダーのばね性によって元の形状に戻る構造であるため、電球の付け外しの際は片手でハンガー・ホルダーのリング部を押し下げながらもう片方の手で電球を付け外しすることになるので両手が必要となる。電球交換が高所で行われる場合が多いことを考慮すると、作業者が片手のみを使って電球交換を行うことができればさらに望ましい。
【課題を解決するための手段】
【００１０】
上記課題を解決するため、本発明の照明器具は、電球形光源を取り付けて使用される照明器具において、前記照明器具の器具本体の開口部付近に電球形光源の落下を防止するランプガードを有し、このランプガードの一端には、前記器具本体の開口部付近においてランプガードが回転可能に接続する機構を有し、前記ランプガードの他端には前記器具本体の開口部付近においてランプガードを着脱可能に固定する機構を有する照明器具としてよい。
【００１１】
また前記照明器具において、前記ランプガードの一端には連結部を介してこの連結部と略直角に延びる回転軸を有し、前記器具本体には前記回転軸部を納めて前記ランプガードを前記器具本体に対して回転可能に支持する本体軸受け部を有する構造であってよい。
【００１２】
また前記照明器具において、前記ランプガードのガード部は線対称の形状であり、前記連結部は前記ガード部の対称軸である中心線上にあって前記ガード部から外周方向に延出する１本の棒状部分であり、前記連結部と前記ガード部を挟んで反対側となる一端には、前記ガード部の中心線と平行に外周方向に延出し最外部に複数の凸部を有する前記ガード爪が設けられた構造であってよい。
【００１３】
また前記照明器具において、前記ランプガードは金属製のワイヤを折り曲げ、又は部分的に溶接して形成された構造であり、前記ガード爪は金属製の線状部材であり、前記ガード爪は前記ランプガードの中心部をなすガード部に固定されて外周方向に延出する基部とこの基部の先端側を折り曲げて形成された先端部からなり、前記基部と前記先端部の境界が前記凸部を形成している構造であってよい。  
【００１４】
また前記照明器具において、前記ランプガードのガード部は線対称の形状であり、前記連結部は前記ガード部の中心線上にあって前記ガード部から外周方向に延出する１本の棒状部分であり、前記連結部と前記ガード部を挟んで反対側となる一端には、前記ガード部の中心線と平行に外周方向に延出し最外部に凸部を有する複数の前記ガード爪を有する構造であってよい。
【００１５】
また前記照明器具において、前記器具本体の一方に固定された前記本体軸受け部には複数の軸受凹部を有し、前記器具本体の反対側には前記複数の軸受凹部にそれぞれランプガードが取り付けられた場合にそれぞれのランプガードが略水平に支持される位置に複数の取付凹部または本体取付穴を有する構造であってよい。
【００１６】
また前記照明器具において、前記複数の取付凹部または本体取付穴の代わりに前記器具本体の内壁に取付部材が固定されており、前記取付部材の固定部は器具本体の内壁と溶接などで脱着不能に固定されており、前記ガード爪の凸部を納めるための取付長穴が前記固定部より前記内壁から離間して設けられている構造であってよい。
【００１７】
また前記照明器具において、前記ランプガードのガード部は、前記器具本体に収納されるランプを前記器具本体の開口端から見たときの器具本体内壁の形状に対応した形状であり、前記内壁との間隔を３ｍｍから２０ｍｍ程度あけている構造であってよい。
【００１８】
また前記照明器具において、前記ランプガードのガード部は、前記器具本体に収納されるランプを前記器具本体の開口端から見たときの投影面積よりも小さな開口面積のみを有する構造であってよい。
【００１９】
また本発明を実施する一例としては、電球形光源を取り付けて使用される照明器具において、前記照明器具の器具本体の開口部付近に電球形光源の落下を防止するランプガードを有し、このランプガードの中央部はランプ最大径より小さな開口部を有するガード部であり、このガード部の一端には連結部を介して回転軸部を有し、この回転軸部は前記器具本体の開口部付近に設けられた本体軸受部に納められてヒンジ機構を形成することで回転可能に支持され、前記ガード部の他端には凸部を有するガード爪を有し、このガード爪の凸部が器具本体の開口部付近に設けられた本体取付穴に入り込むことで前記ランプガードが器具本体の開口部付近に固定される照明器具であってよい。
【発明の効果】
【００２０】
本発明によれば、低コストでランプ付け外しの手順が簡便で片手のみでも作業可能なランプ落下防止構造を有する照明器具を実現可能である。
【図面の簡単な説明】
【００２１】
【図１】本発明を適用した照明器具の一例を示す正面図。
【図２】図１の照明器具を開口側（下方）から見た図。
【図３】図１の照明器具の構成部材を示す図。
【図４】図１のガード部材の部品図（平面図）。
【図５】図１のガード部材の部品図（正面図）。
【図６】本発明の変形例を示す照明器具のガード部材付近の図。
【図７】本発明の別の変形例を示す照明器具のガード部材付近の図であり、          （Ａ）は正面から見た図、          （Ｂ）は器具本体下側から見た図、            （Ｃ）は取付部材単体を器具本体中心側から見た図、            （Ｄ）はＣ図を縦軸周りに９０度回転して見た図。
【発明を実施するための形態】
【００２２】
以下、本発明に係る実施形態に関して、添付の図面を参照しながら詳細に説明する。なお図中の同じ要素に対しては同じ参照符号を付して、重複した説明を省略する。
【００２３】
図１から図３に、本発明を適用した照明器具の一例を示す。図1は照明器具の外観図であり、１は天井面を有する筒状の器具本体、２は壁などの構造物に本照明器具を固定する本体固定部であり壁などに打ち込まれたアンカーボルトの先を本体固定ナット３で締め付けて照明器具を固定する。４は本照明器具に適用する電球形光源であるランプを示す。ランプ４はその光照射部と反対側にねじ式の口金を有し、ソケット５にねじ込むことで照明器具に取り付けられている。実施例に示す照明器具は屋外使用を想定しているため、ソケットの上下にそれぞれ上パッキン６及び下パッキン７を設けてソケット内に雨水などが浸入しない構造をとっている。
【００２４】
図２は図１の照明器具を重力方向下方の開口側から見た図であり、１０は本発明に係るランプガードである。本実施例においては、ランプガード１０のガード部１１及び器具本体を下から見た形状は図２に示す中心線ＣＬに対して線対称になっている。すなわち中心線ＣＬがガード部１１の対称軸を表している。ランプガード１０の取付位置は図１では隠れているが、図１においては、器具本体の下方、開口部付近であって、２点鎖線で示すランプ４の下方でランプ４に接触しない程度の位置に取り付けられている。ランプ４とランプガード１０が軽く接触する程度であっても特に問題は無い。このような構造を有することでランプ４の落下を防止できる。ランプガード１０の取付高さに関しては後で詳細に説明する。
【００２５】
図３は図１の照明器具の主な構成部材を示す図であり、器具本体１からランプ４を取り外した状態を表している。この状態ではランプガード１０は器具本体１のヒンジ構造（図示せず）で支持され、器具本体の下方にぶら下がっているので、ランプ４の付け外しが容易に行える。ランプを取り付ける際には、ランプガード１０の固定を外した状態（図３の状態）でランプ４を器具本体１のソケット５に取り付けた後、ランプガード１０を起こして器具本体の下面を閉じる。この時ランプガード１０を上方向に押すだけで、ランプガード１０の先端にある凸部１６を器具本体１の開口部付近の本体取付穴９に納まり、ランプガード１０が開かないように固定される。この状態では器具本体１に取り付けられたランプ４の口金がソケット５から外れる方向に緩んでも、ランプ４が器具本体１から落下することが無い。一方、使用済みランプを取り外す際にはランプガード１０を図３において下方に引くと、凸部１６が本体取付穴から外れてランプガード１０は再び図３の状態になり、ランプ４を器具本体１から容易に取り外すことができる。すなわちランプガード１０は器具本体１に着脱可能に固定されている。
【００２６】
図４及び図５に本発明を適用したランプガード１０の一例を示す。図４は図３の構成において、ランプガード１０を閉じたときに図３の上方からランプガード単体を見た状態の図であり、２点鎖線の２重円で描かれている１ａは図１にも示された器具本体１の開口端面である。図５は図４の状態を図４の下方から見た図である。ランプガード１０は全体が金属製のワイヤに折り曲げなどの加工を施し、それら複数の部材を溶接接合などで合成して形成されている。
【００２７】
ランプガード１０の中央部にはガード部１１がある。図２を見れば明らかなように、ガード部１１は円環状である。これは器具本体１の内壁面が円形であることに対応している。器具本体１の内壁面が角形であれば、角形のガード部であってもよいし、ランプが器具本体１の開口部から抜け落ちない形状であればどのような形状でもよい。要するにランプ最大径より小さな開口部を有するガード部であればよい。ガード部の内部に十字の線状部分を設けてもよいし、網目状にしてもよい。２重・３重の同心円であってもよい。
【００２８】
本実施例においては、ガード部１１の外辺と器具本体１の内壁面との間隔は全周に渡って１５ｍｍ程度としている。間隔が小さすぎるとランプガード１０が器具本体の内壁と干渉してランプガード１０の開閉に支障がでる。逆に間隔が大きすぎる（ガード部の大きさが器具本体の内壁と比較して小さい）とランプ落下時にガードが変形してランプが抜け落ちるなどの支障がでる。器具本体の内壁面形状に対応したガード部形状とする場合、前記の間隔寸法は実用上３ｍｍ〜３０ｍｍ程度が適当で、１０ｍｍから２０ｍｍ程度が好ましい。これらの条件はランプガード１０と器具本体１との取付・固定方法によって変わるので、それぞれの照明器具においてランプガードの取付方法を決定する際に間隔寸法を決めればよい。
【００２９】
本実施例のように、円筒形状の器具本体１に１重の円環のみのガード部１１を採用した場合に限定して最適な円環の大きさを考察する。ランプ４の最大外径は当然器具本体１の内径より少し小さい。ガード部１１の円環の大きさがランプ４の最大外径より大きいと、ランプ４がソケットから外れた場合の落下防止は不可能であるため、当然ガード部１１の円環の大きさはランプ４の最大外径より小さくする必要がある。そうすると、ガード部１１と器具本体１の内壁との間に適当な間隔が生じるので、その間隔を利用してランプガード１０を器具本体１に回転可能に支持する機構及びランプガード１０を閉じた状態で器具本体１に固定する機構を設けることができる。またガード部１１の円環が大きいほどランプ４から放出された光を邪魔せず、被照射物に影を作りにくいので、円環の寸法はランプ４が円環内部を通って抜け落ちない程度に小さい範囲内でできるだけ大きくするのが最適だとわかる。
【００３０】
図４において、ランプガード１０の中心部をなすガード部１１の一端（左側）には連結部１２、回転軸部１３、折返し部１４が設けられている。本実施例の場合、ガード部１１は上下方向の中心線ＣＬに対して線対称である。連結部１２は中心線ＣＬの線上にある。連結部１２はガード部１０から外周方向に延出する１本の棒状部分であり、器具本体１の内壁に届く直前の寸法でほぼ直角に曲げられ、回転軸部１３が形成されている。さらに先端をガード部１１の方向に折り曲げて折返し部１４が形成されている。器具本体１に取り付けられた状態では回転軸部の部分は本体軸受部８の軸受凹部に収められ、器具本体１に対して回転可能に支持される。このようにランプガード１０の一端に設けられた回転軸部１３と、器具本体１の一方に設けられた本体軸受部８とで、ヒンジ機構が形成されている。
【００３１】
本体軸受部８は、器具本体１とは別の板金を矩形の略中央部に回転軸部１３が納まるような軸受凹部ができる形状に曲げ成形し、この凹部に回転軸部１３を入れた状態で器具本体１の内壁面に溶接又はねじ止めで固定することにより形成される。この場合軸受の両側を固定したヒンジ構造ができる。矩形の端部に凹部を形成した板金を使って片側固定のヒンジ構造としてもよい。
【００３２】
本実施例の場合、連結部１２と回転軸部がなす角度は本実施例では９０度よりわずかに小さく、器具本体１の内壁の湾曲に沿った角度となっている。本体軸受部８がランプガード１０の中心軸からずれた位置に取り付けられるため、本体軸受部８の巾及び回転軸部１３の長さは短めに設定されている。
【００３３】
回転軸部１３に連なる２本の連結部１２を設ければ、しかも連結部同士の間隔を広く取るほどランプガード１０の支持は安定する。しかしながら、本実施例のような円筒形の器具本体に取り付けられる場合、複数の連結部の間隔を広くするほど、回転軸部が長くなると共に器具本体の中心側に寄った位置に回転軸部を設ける必要がある。このような構造にすると、照明器具の使用時にランプから放出される光が回転軸部で邪魔されるばかりでなく、ランプの付け外しにランプが接触してランプが傷つけられる恐れもある。
【００３４】
器具本体の端面形状が角形の場合は連結部が複数で間隔をあけても器具本体内面への張り出し寸法は変わらない。また器具本体形状に関わらず器具本体の内側に回転軸部が張り出しても問題にならない場合には連結部本数を２本とすればランプガードの回転支持は安定するため、固定側の凸部を１箇所にすることもできる。
【００３５】
図４において、ガード部１１の他端（右側）にはガード爪１５が設けられておりランプガード１０の外周方向に延出している、ガード爪１５の先端とは限らないが、ガード爪１５の範囲でランプガード１０の最外部に位置する箇所には凸部１６が設けられている。本実施例においてはコの字形に折り曲げた線状部材の両端部をガード部に溶接によって固定され、コの字の中間部をコの字平面内とは異なる方向へ折り曲げることにより２個の凸部１６を形成している。この凸部１６が図３に示された本体取付穴９に入り込むことでランプガード１０は固定され、またランプガード１０に下向きの適度な力を加えることで、凸部１６が本体取付穴９から外れ、ランプガード１０を器具本体１の下方に開くことができる。凸部１６の形状は他に、ガード爪１５の先に円錐状や笠状の先端部を設けてもよいし、球状の先端部を設けてもよい。また本体取付穴９は長穴状のスリットであってもよいし、通し穴を開けなくとも凸部１６が納まる取付凹部であってよい。
【００３６】
図５を参照して、本実施例のランプガード１０について、  ガード爪１５をさらに詳しく説明する。コの字形の線状部材のうち、ガード部１１に溶接された両端部からガード部１１の中心線と平行に外周方向に延出している部分を基部１５ａとし、図５において上方に折り曲げられている先端側の部分を先端部１５ｂとする。基部１５ａと先端部１５ｂとの境界が凸部１６となる。ランプガード１０を器具本体１にフタを閉めた状態で固定した時、ランプガード１０は器具本体の開口端面１ａと略平行になるように固定されている。ガード部１１及び基部１５ａも同様に開口端面１ａと平行な状態になっているが先端部１５ｂは基部１５ａと角度αをなしている。凸部１６の先端は円弧状であり、その両側に直線状の基部１５ａ及び先端部１５ｂが連結しているため、本体取付穴に収まった状態ではランプガード１０のがたつきが無い。
【００３７】
また凸部１６は材料である線状部材の径より大きな円弧状となっているため、器具本体１の内壁に当たっても内壁の塗装が剥がれ落ちることが無い。
【００３８】
基本的にランプガードの連結部及び凸部の本数が多いほどランプガードの固定は安定するが、数が多いほどランプから放出される光を邪魔するため、できるだけ少なくするほうが好ましい。本実施例では図４に示すとおり、連結部１２は１本のみとなっている。この場合、連結部１２を回転軸としたガード部１１の回転を抑制することができない。ガード部１１が回転すると器具本体１の内壁との隙間が大きくなり、ランプ４が抜け落ちる危険がある。そこで本実施例ではガード爪１５に連なる凸部１６を２箇所設け、ランプガード１０が閉じた状態での固定力を倍増すると共に、ガード部１１が連結部を軸とする方向に回転しないように配慮している。
【００３９】
上述のとおり、回転軸部１３に連なる連結部１２が２本あれば、凸部１６は１箇所でよい。連結部が１本であれば、凸部は２箇所以上必要となる。このように、ランプガード１０の回転軸部１３とガード部１１をつなぐ連結部１２の本数と、凸部とガード部をつなぐガード爪の本数の合計は少なくとも３本必要である。この時、固定側の凸部１６及び本体取付穴９の数が多いほうがランプガード１０の固定力が大きくなるため、本実施例のように連結部１本とガード爪２本の組み合わせが最も好ましい。
【００４０】
ランプガード１０の取付高さについては、上述のとおりランプガード１０を閉じた状態でランプ４に接触しない程度またはランプ４とランプガード１０が軽く接触する程度に取り付ければいい。しかしより好ましい条件としては、ランプガード１０を閉じた状態でガード部１１がランプ４に接触しないが、ランプが脱落しかけた時にランプの口金がソケットから抜け落ちる前にランプがガード部に当たってそれより下に移動することを防ぐような位置に設定するのがよい。特にねじ込み式のソケットを使用する器具及び適合ランプでは、ランプの口金がソケットに少しでもねじ込まれている間はランプの自重全体がランプガードに加わることがないため、ランプ落下のショックでランプガードが開いてしまうことがない。
【００４１】
また電球形光源を取り付けて使用される照明器具においては、一つの器具に複数種のランプを取り付けることができるため、通常は器具に適用可能な最大の大きさのランプに合わせて器具の寸法を設定する。例えば図１に示す本実施例の器具本体１では２点鎖線で示すランプ４の大きさが適用可能な最大寸法となっているが、もっと小さいランプも適用可能とすることがある。その場合、上述のように最大寸法のランプ４に対して口金から外れる前にガード部１１に接触するような高さにランプガード１０の取付位置を設定すると、最も小さい寸法のランプを取り付けた場合にはランプガード１０のガード部１１に接触する前にランプがソケットから抜け落ち、小さいランプに合わせてランプガード高さを設定しようとしても大きいランプを取り付けた場合にガード部１１がランプにぶつかってランプガード１０を閉じることができないという条件もあり得る。
【００４２】
そのような場合には、図６に示すように、本体軸受部８に２段の軸受凹部を設け、それぞれの軸受凹部を使用した場合にランプガード１０が開口端面と平行に固定されるように本体取付穴９または取付凹部を２段に設けることで対応できる。本実施例のランプガードでは折返し部１４は線状部材を折り曲げて形成しているので、大きなランプで使用している器具に小さなランプを取り付ける必要が生じた場合でも、折返し部１４を回転軸部１３と直線状になる程度に戻すことで下の段に取り付けた実線で描かれたランプガード１０を外し、２点鎖線で描かれた上の段に取り付けることができる。このような構造を有することで、取付高さを変更しても、ランプガードがそれぞれの高さで略水平に支持される。器具に適用されるランプの種類が多ければ、さらに段数を増やして３段、４段とすることもできる。
【００４３】
なお本実施例においては、ランプガード部の回転軸部と組み合わせる本体軸受け部を器具本体の外径を構成する部材とは別に作成して器具本体に接合しているが、器具本体が板金製の場合、器具本体の一部を切断・折り曲げ成形して軸受け部を一体成形することも可能である。
【００４４】
前項のような構造では、器具本体の側面の一部を折り曲げ加工するため、本体軸受部の近くに開口ができる。しかしながら図３に示す本体取付穴９と同様、器具本体の開口端面近くの側面に小さな開口部があっても、器具全体としての影響はほとんど無い。
【００４５】
逆に、外観デザインなどの都合で、器具本体の側面に加工箇所を設けないという条件が必要な場合もある。その際に利用できる構造を図７に示す。
【００４６】
図７において、１は器具本体であり、４は本器具に適用できるランプである。これらは図１から図６に示す器具本体１およびランプ４と同じものであってもよい。またランプガード２０、ガード部２１、連結部２２、回転軸部２３、折り返し部２４、本体軸受部２８も多少形状や取付位置が異なっているが、作用効果は同じと考えてよい。
【００４７】
図７に示す実施例において、新規な部分はガード取付部材２９であり、ガード爪２５及び凸部２６はガード取付部材の構造に対応した形状となっている。ガード取付部材２９単体の詳細を図７（Ｃ）及び（Ｄ）に示す。ガード取付部材２９を器具本体の中心から見ると略長方形であり、上方に取付長穴２９ａが設けられている。ガード取付部材２９の下方は器具本体の開口付近の内壁に溶接などで固定される固定部２９ｂとなっている。ガード取付部材２９の上方と下方では図７（Ｄ）に示すとおり段差が設けられ、固定部２９ｂを器具本体１に固定した状態では取付長穴が設けられているガード取付部材２９の上方部が器具本体１の内壁から離間した状態になり、取付長穴２９ａにランプガード２０の凸部２６が入り込んだ時に、凸部２６がガード取付部材２９から突出してがたつき無く取付長穴２９ａに収まり、図７（Ａ）のようにランプガード２０が器具本体１に固定される。従って、図３のように器具本体に穴を開けることなく、ランプガード２０を器具本体１に固定することができる。
【００４８】
図７（Ｂ）を参照して、ガード爪２５とガード取付部材２９の取付位置について説明する。本実施例においては本体軸受部２８及び連結部２２を１箇所としているため、ガード爪２５は２箇所以上設けることが好ましい。ガード取付部材２９の取付位置は連結部２２からある程度離れた箇所ならどこでもよいが、回転軸部２３から遠いほどランプガード２０の固定力が増すことから、図７（Ｂ）において右半分の領域にガード取付部材２９を設けることが好ましい。もちろん図４に示すランプガード１０の凸部１６が納まる位置にガード取付部材２９を２個取り付けることも不可能ではない。
【符号の説明】
【００４９】
１          器具本体
１ａ        開口端面
２          本体固定部
３          本体固定ナット
４          ランプ
５          ソケット
６          上パッキン
７          下パッキン
８，２８    本体軸受部
９          本体取付穴
１０，２０  ランプガード
１１，２１  ガード部
１２，２２  連結部
１３，２３  回転軸部
１４，２４  折返し部
１５，２５  ガード爪
１５ａ      基部
１５ｂ      先端部
１６，２６  凸部
２９        ガード取付部材
２９ａ      取付長穴
２９ｂ      固定部
【図１】
2019057396.tif 000003
【図２】
2019057396.tif 000004
【図３】
2019057396.tif 000005
【図４】
2019057396.tif 000006
【図５】
2019057396.tif 000007
【図６】
2019057396.tif 000008
【図７】
2019057396.tif 000009